(57)【要約】【課題】動力を用いずに、球体、特に卓球ボールをランダムに回転させながら、該球体の表面を十分に殺菌する球体表面殺菌装置を提供する。【解決手段】縦に配置された紫外線殺菌灯６と、上方から投入された球体８を紫外線殺菌灯６の周囲を重力によって下方に導く傾斜板３とを備え、傾斜板３は、球体８を自転させるとともに、紫外線殺菌灯６の周囲を公転させながら下方に導き、下方に導く過程で、球体８の自転軸を紫外線殺菌灯６に対して変化させ、球体８の降下速度を減殺するトラップ部３ｂを有する。【選択図】図１
0003228712.tif 000002
【実用新案登録請求の範囲】
【請求項１】
直管形状で管方向を縦にして配置された紫外線殺菌灯と、
前記紫外線殺菌灯の周囲に配置され、上方から投入された殺菌対象の球体を、重力によって下方に導く傾斜板と
を備え、
前記傾斜板は、前記球体を、該球体の転動によって自転させるとともに、前記紫外線殺菌灯の周囲を公転させながら下方に導き、下方に導く過程で、前記球体の自転軸を前記紫外線殺菌灯に対して変化させるとともに、前記球体の降下速度を減殺するトラップ部を有する
ことを特徴とする球体表面殺菌装置。
【請求項２】
前記トラップ部は、前記球体を下方に導く過程で前記傾斜板の傾斜方向が反転していることによって、前記球体の前記紫外線殺菌灯に対する公転方向を反転させる構造である
ことを特徴とする請求項１記載の球体表面殺菌装置。
【請求項３】
前記トラップ部は、前記球体を下方に導く過程で該球体の移動方向を屈曲させることによって、前記紫外線殺菌灯に対する前記球体の自転軸の方向を変化させる構造である
ことを特徴とする請求項１又は２記載の球体表面殺菌装置。
【請求項４】
前記紫外線殺菌灯及び前記傾斜板を収容する筐体を備え、
前記筐体の内壁には、前記紫外線殺菌灯からの紫外線を反射させる反射板が配置されている
ことを特徴とする請求項１乃至３のいずれか一に記載の球体表面殺菌装置。
【考案の詳細な説明】
【技術分野】
【０００１】
本考案は、動力を用いずに、球体、特に卓球ボールをランダムに回転させながら、該球体の表面を十分に殺菌する球体表面殺菌装置に関する。
【背景技術】
【０００２】
２０２０年の新型コロナウィルス（ＣＯＶＩＤ−１９）の流行により、多くの人が触れる可能性のあるスポーツ用ボールを殺菌することが、手指を消毒することと同様に重要なこととなった。
【０００３】
スポーツ用ボール、例えば、卓球ボールの表面の消毒としては、一個ずつアルコール除菌液、あるいは次亜塩素酸水をしみこませた布でふき取る等しているが、多球の作業は煩雑であり、また、乾燥を要するため、消毒直後の卓球ボールの使用は難しい。さらに、薬品による卓球ボールの性能、耐久性の劣化は免れない。
【０００４】
特許文献１には、紫外線殺菌灯（ＵＶＣ）を用いた殺菌装置が記載されている。紫外線殺菌灯による殺菌であれば、紫外線殺菌灯の電源がある場所であれば、どこでも行うことができる。
【先行技術文献】
【特許文献】
【０００５】
【特許文献１】特表２０１３−５０６５３１号公報
【考案の概要】
【考案が解決しようとする課題】
【０００６】
特許文献１に記載された殺菌装置では、殺菌対象であるボールがランダムに回転されないので、常に紫外線殺菌灯から陰になる部分（紫外線が照射されない部分）が存在し、この部分は殺菌されないから、十分な殺菌効果が得られない。
【０００７】
また、この殺菌装置では、ボールの移動速度が速く、紫外線の照射時間が短くなってしまい、十分な殺菌効果が得られない。
【０００８】
特に、卓球ボールのような軽量のボールを殺菌する場合には、ランダムに回転させること及び移動速度を遅くすることは、卓球ボールに特化した構造を採用しないと困難である。
【０００９】
そこで、本考案の課題は、動力を用いずに、球体、特に卓球ボールをランダムに回転させながら、該球体の表面を十分に殺菌する球体表面殺菌装置を提供することである。
【課題を解決するための手段】
【００１０】
上述の問題を解決するため、本考案に係る球体表面殺菌装置は、直管形状で管方向を縦にして配置された紫外線殺菌灯と、前記紫外線殺菌灯の周囲に配置され上方から投入された殺菌対象の球体を、重力によって下方に導く傾斜板とを備え、前記傾斜板は、前記球体を、該球体の転動によって自転させるとともに、前記紫外線殺菌灯の周囲を公転させながら下方に導き、下方に導く過程で、前記球体の自転軸を前記紫外線殺菌灯に対して変化させるとともに、前記球体の降下速度を減殺するトラップ部を有することを特徴とする（請求項１）。
【００１１】
また、本考案に係る球体表面殺菌装置は、前記トラップ部は、前記球体を下方に導く過程で前記傾斜板の傾斜方向が反転していることによって、前記球体の前記紫外線殺菌灯に対する公転方向を反転させる構造であることを特徴とする（請求項２）。
【００１２】
また、本考案に係る球体表面殺菌装置は、前記トラップ部は、前記球体を下方に導く過程で該球体の移動方向を屈曲させることによって、前記紫外線殺菌灯に対する前記球体の自転軸の方向を変化させる構造であることを特徴とする（請求項３）。
【００１３】
また、本考案に係る球体表面殺菌装置は、前記紫外線殺菌灯及び前記傾斜板を収容する筐体を備え、前記筐体の内壁には、前記紫外線殺菌灯からの紫外線を反射させる反射板が配置されていることを特徴とする（請求項４）。
【００１４】
本考案に係る球体表面殺菌装置では、多くの球体の表面をスムーズに連続して殺菌して使用するため、上部に設けた投入口から小さい傾斜角度をつけた傾斜板上に球体を導き、紫外線を照射しながら、重力により降下させ、表面全体を殺菌された球体が下部の排出口から排出される。
【考案の効果】
【００１５】
本考案は、動力を用いずに、球体、特に卓球ボールをランダムに回転（球体の自転軸を紫外線殺菌灯に対して変化）させながら、該球体の表面を十分に殺菌する球体表面殺菌装置を提供できる。
【００１６】
本考案に係る球体表面殺菌装置では、球体がランダムに回転されるので、紫外線殺菌灯により球体の表面全体を殺菌することができる。
【００１７】
また、トラップ部により球体の降下速度が遅くなり、紫外線殺菌灯の周囲を公転することにより、紫外線の照射量が増加し、十分な殺菌ができる。
【００１８】
さらに、この球体表面殺菌装置は、軽量で移動が容易であり、安価に利用できるので、卓球愛好者等が使用し易い装置であり、卓球競技における安全、安心を実現できる。
【００１９】
紫外線殺菌灯及び傾斜板を筐体に収容し、この筐体の内壁に、紫外線殺菌灯からの紫外線を反射させる反射板を配置すれば、紫外線の乱反射により殺菌効果を高めることができる。また、紫外線は人体に有害であるが、安全に遮蔽できる筐体の中で全ての工程を行うことができる。
【図面の簡単な説明】
【００２０】
【図１】本考案に係る球体表面殺菌装置の構成を示す縦断面図である。
【図２】前記球体表面殺菌装置の傾斜板の構成を示す斜視図である。
【図３】前記傾斜板の構成の他の例を示す斜視図である。
【図４】前記傾斜板の構成のさらに他の例を示す斜視図である。
【考案を実施するための形態】
【００２１】
以下、本考案の実施形態を図面に基づいて説明する。
【００２２】
本考案の実施形態に係る球体表面殺菌装置は、動力を用いずに、球体をランダムに回転させながら重力により降下させ、紫外線の照射によって、球体の表面を十分に殺菌する球体表面殺菌装置である。この実施形態は、殺菌対象である球体が、卓球ボールであるものとして構成したものである。
【００２３】
〔球体表面殺菌装置の構成〕
図１は、本考案に係る球体表面殺菌装置の構成を示す縦断面図である。
本考案に係る球体表面殺菌装置は、図１に示すように、紫外線殺菌灯６と、傾斜板３とを備えて構成される。また、この実施形態の球体表面殺菌装置は、紫外線殺菌灯６及び傾斜板３を収容する筐体１を備えている。
【００２４】
筐体１は、この実施形態では、縦長の角筒状に構成されている。この筐体１の横断面形状は、ほぼ正方形である。筐体１は、紫外線を透過させない材料により構成することが好ましい。紫外線を透過させなければよく、他の波長（色）の光は透過させてもよい。紫外線以外の波長（色）の光が透過すれば、筐体１内を目視することができる。
【００２５】
紫外線殺菌灯６は、直管形状であり、筐体１内に、管方向を縦にして配置されている。紫外線殺菌灯６は、出力が、例えば８Ｗ程度であり、長さは、例えば３０cm乃至５０cm程度であるが、これらに限定されない。紫外線殺菌灯６をなす直管は、１本でも複数本でもよく、また、１本の直管を屈曲させて複数の直管が並列されたようにしたいわゆる「コンパクト型殺菌灯」でもよい。
【００２６】
筐体１の上部には、卓球ボール８が投入される投入箱２が設けられている。この投入箱２の底面部は傾斜しており、投入された卓球ボール８を所定の位置（導入口）から筐体１内に落下させるようになっている。なお、投入箱２内には、モーターにより回転される攪拌棒を設けてもよい。この攪拌棒は、投入箱２内に多数の卓球ボール８が投入されたときに、卓球ボール８を攪拌することにより、卓球ボール８が詰まることなく、１個ずつ導入口から落下するようにすることができる。
【００２７】
傾斜板３は、紫外線殺菌灯６の周囲に配置され、投入箱２から落下してきた卓球ボール８を、重力によって下方に導く。傾斜板３の上面は、卓球ボール８を導く傾斜路となっている。傾斜路の幅は、卓球ボール８の直径より僅かに広い程度である。傾斜板３の上面である傾斜路は、筐体１の内壁に沿って配置されており、紫外線殺菌灯６の周囲を巡るようになっている。
【００２８】
筐体１の下部には、傾斜板３に導かれて降下した卓球ボール８を収容する排出箱５が設けられている。この排出箱５は、引出式にしてもよいし、排出口を設けて卓球ボール８が別容器７に排出されるようにしてもよい。
【００２９】
傾斜板３の上面である傾斜路から外方側へは、筐体１の内壁により、卓球ボール８が落下することはない。傾斜路から内方側への卓球ボール８の落下を防止するため、傾斜路の内方側部に沿って、図示しない壁部を設けることが好ましい。この壁部は、卓球ボール８の落下を防止できる程度の高さがあればよく、紫外線の透過率が高い透明材料か、紫外線が多く透過できるようにメッシュ（網目）状の材料からなる。
【００３０】
なお、卓球ボール８の落下を防止する壁部は、傾斜板３の上端部から下端部に亘る連続したものとして構成してもよい。この場合には、この壁部は、筐体１の内壁から傾斜路の幅分だけ内側に位置する角筒状のものとなる。
【００３１】
筐体１の内壁には、紫外線殺菌灯６からの紫外線を反射させる反射板４を配置することが好ましい。反射板４を配置した場合には、紫外線殺菌灯６からの紫外線の乱反射により、傾斜板３の上面である傾斜路を移動する卓球ボール８に対する殺菌効果を高めることができる。反射板４は、紫外線を反射すればよく、他の波長（色）の光は透過させてもよい。紫外線以外の波長（色）の光が透過すれば、筐体１内を目視することができる。
【００３２】
〔傾斜板の構成〕
図２は、前記球体表面殺菌装置の傾斜板の構成を示す斜視図である。
傾斜板３は、図１及び図２に示すように、卓球ボール８を、卓球ボール８の転動（転がり）によって自転させるとともに、紫外線殺菌灯６の周囲を公転させながら下方に導く。傾斜板３の上面は、卓球ボール８が良好に転がるように、表面形状及び摩擦係数が適切に設定されている。例えば、図２に示すように、傾斜板３の上面にシリコン製の摩擦抵抗の大きなシート３ｃを敷くことにより、卓球ボール８が良好に転がり、転がる速度も遅くすることができる。さらに、このシート３ｃの表面には、微小な半球状の突起３ｄを多数設けることが好ましい。シート３ｃは、傾斜板３の上面全体に敷いてもよいし、一部に敷いてもよい。
【００３３】
傾斜板３は、トラップ部を有する。トラップ部は、卓球ボール８を下方に導く過程で、卓球ボール８の自転軸を紫外線殺菌灯６に対して（つまり、紫外線殺菌灯６から見て）変化させる（ランダムに回転させる）。卓球ボール８の自転軸が、紫外線殺菌灯６から見て変化しないということは、卓球ボール８が紫外線殺菌灯６に対して常に同じ側を向けて自転しているということである。この場合には、卓球ボール８には、紫外線殺菌灯６に全く向かない箇所があり得ることになる。卓球ボール８の自転軸が、紫外線殺菌灯６から見て変化するということは、卓球ボール８が紫外線殺菌灯６に対していろいろな側を向けながら自転しているということである。この場合には、卓球ボール８には、紫外線殺菌灯６に向かない箇所はない。
【００３４】
この実施形態において、トラップ部は、筐体１の角部における傾斜路の屈曲部であって、卓球ボール８を下方に導く過程で卓球ボール８の移動方向を屈曲させることによって、紫外線殺菌灯６に対する卓球ボール８の自転軸の方向を変化させる構造である。
【００３５】
この球体表面殺菌装置においては、傾斜路の屈曲部（トラップ部）により、卓球ボール８の自転軸が紫外線殺菌灯６から見て変化するので、卓球ボール８の表面全体を殺菌することができる。
【００３６】
また、この球体表面殺菌装置において、トラップ部３ｂは、卓球ボール８が下方に導かれる過程で、卓球ボール８の降下速度を減殺する（速度を抑える）。卓球ボール８の降下速度が遅いと、紫外線殺菌灯６からの紫外線の照射量（照射時間）が増加し、十分な殺菌が行える。
【００３７】
この実施形態において、トラップ部３ｂは、卓球ボール８を下方に導く過程で傾斜板３の傾斜方向が反転していることによって、卓球ボール８の紫外線殺菌灯６に対する公転方向を反転させる構造である。
【００３８】
傾斜板３は、図２に示すように、それぞれ複数の右公転傾斜板３Ｒ及び左公転傾斜板３Ｌが、上方から下方に交互に積層されて構成されている。右公転傾斜板３Ｒ及び左公転傾斜板３Ｌは、それぞれ筐体１の内壁の３面に沿うコの字状に構成されている。右公転傾斜板３Ｒ及び左公転傾斜板３Ｌの各部分は、図２中θで示す一定の傾斜を有している。この傾斜は、例えば２°乃至５°程度であるが、これらに限定されない。
【００３９】
右公転傾斜板３Ｒは、一定の傾斜を有していることにより、上面に載置された卓球ボール８を重力によって転動させるが、このときの卓球ボール８の移動方向（公転方向）は、図２中矢印Ｒで示すように、上方から見て右回転（時計回り）方向である。
【００４０】
左公転傾斜板３Ｌは、一定の傾斜を有していることにより、上面に載置された卓球ボール８を重力によって転動させるが、このときの卓球ボール８の移動方向は、図２中矢印Ｌで示すように、上方から見て左回転（反時計回り）方向である。
【００４１】
投入箱２から落下した卓球ボール８は、最上段の右公転傾斜板３Ｒ（または、左公転傾斜板３Ｌ）の最も高い位置に落ちる。この卓球ボール８は、傾斜路上を転動し、紫外線殺菌灯６の回りを公転して、右公転傾斜板３Ｒ（または、左公転傾斜板３Ｌ）の最も低い位置に至る。ここで、卓球ボール８は、右公転傾斜板３Ｒ（または、左公転傾斜板３Ｌ）の最も低い位置から落下して、次段の左公転傾斜板３Ｌ（または、右公転傾斜板３Ｒ）の最も高い位置に落ちる。この卓球ボール８は、傾斜路上を転動し、紫外線殺菌灯６の回りを公転して、左公転傾斜板３Ｌ（または、右公転傾斜板３Ｒ）の最も低い位置に至る。ここで、卓球ボール８は、次段の右公転傾斜板３Ｒ（または、左公転傾斜板３Ｌ）の最も高い位置に落ちる。この過程を次々に繰り返して、卓球ボール８は、最下段の左公転傾斜板３Ｌ（または、右公転傾斜板３Ｒ）の最も低い位置に至り、排出箱５内に落下する。
【００４２】
このような卓球ボール８の降下の過程において、卓球ボール８には、常に紫外線殺菌灯６からの紫外線が照射され、殺菌が行われる。この実施形態において、投入箱２から排出箱５に至る卓球ボール８の降下時間は、１０秒以上となっている。この降下時間は、右公転傾斜板３Ｒ及び左公転傾斜板３Ｌの数を増やすことにより、また、傾斜角θを緩くすることにより、より長くすることができる。
【００４３】
なお、傾斜板３は、右公転傾斜板３Ｒ（または、左公転傾斜板３Ｌ）のみを、複数積層させて構成してもよい。この場合には、卓球ボール８の公転方向は反転されないが、上段の傾斜板３Ｒ（３Ｌ）から次段の傾斜板３Ｒ（３Ｌ）に落下したときに、公転速度が抑えられ、降下速度が抑制される。
【００４４】
なお、紫外線殺菌灯６の出力を大きくすれば、卓球ボール８の降下時間を長くしなくても殺菌効果を高めることができるが、この場合には、紫外線殺菌灯６の消費電力が大きくなってしまう。本考案に係る球体表面殺菌装置においては、卓球ボール８の降下時間を長くすることによって殺菌効果を高めているので、紫外線殺菌灯６の消費電力を大きくする必要がなく、省エネルギー性能及び安全性（加熱が少ないこと）が高くなっている。
【００４５】
なお、傾斜板３には、図１に示すように、卓球ボール８が落下する最も高い位置に、傾斜した羽根板３ａを設けてもよい。この羽根板３ａの表面は、傾斜板３自体よりも急な傾斜を有しており、落下してきた卓球ボール８を詰まることなくスムーズに転動させる。
【００４６】
また、傾斜板３のコの字状の角部（傾斜路の屈曲部）にも、図示しない羽根板を設けてもよい。この羽根板の表面は、鉛直で、卓球ボール８の移動方向に対して４５°にする。この羽根板は、卓球ボール８同士が干渉しあって詰まることを防ぐ。
【００４７】
〔傾斜板の他の構成〕
図３は、前記傾斜板の構成の他の例を示す斜視図である。
この球体表面殺菌装置において、傾斜板３をなす複数の右公転傾斜板３Ｒ及び左公転傾斜板３Ｌは、図３に示すように、それぞれ円弧状（円の一部が途切れた形状）に構成してもよい。この場合でも、右公転傾斜板３Ｒ及び左公転傾斜板３Ｌは、筐体１の内壁に沿うことが好ましいので、筐体１を円筒状に構成する。
【００４８】
右公転傾斜板３Ｒ及び左公転傾斜板３Ｌの各部分は、一定の傾斜を有している。右公転傾斜板３Ｒは、一定の傾斜を有していることにより、上面に載置された卓球ボール８を重力によって転動させるが、このときの卓球ボール８の移動方向（公転方向）は、図３中矢印Ｒで示すように、上方から見て右回転（時計回り）方向である。
【００４９】
左公転傾斜板３Ｌは、一定の傾斜を有していることにより、上面に載置された卓球ボール８を重力によって転動させるが、このときの卓球ボール８の移動方向は、図３中矢印Ｌで示すように、上方から見て左回転（反時計回り）方向である。
【００５０】
投入箱２から落下した卓球ボール８は、最上段の右公転傾斜板３Ｒ（または、左公転傾斜板３Ｌ）の最も高い位置に落ちる。この卓球ボール８は、傾斜路上を転動し、紫外線殺菌灯６の回りを公転して、右公転傾斜板３Ｒ（または、左公転傾斜板３Ｌ）の最も低い位置に至る。ここで、卓球ボール８は、右公転傾斜板３Ｒ（または、左公転傾斜板３Ｌ）の最も低い位置から落下して、次段の左公転傾斜板３Ｌ（または、右公転傾斜板３Ｒ）の最も高い位置に落ちる。この卓球ボール８は、傾斜路上を転動し、紫外線殺菌灯６の回りを公転して、左公転傾斜板３Ｌ（または、右公転傾斜板３Ｒ）の最も低い位置に至る。ここで、卓球ボール８は、次段の右公転傾斜板３Ｒ（または、左公転傾斜板３Ｌ）の最も高い位置に落ちる。この過程を次々に繰り返して、卓球ボール８は、最下段の左公転傾斜板３Ｌ（または、右公転傾斜板３Ｒ）の最も低い位置に至り、排出箱５内に落下する。
【００５１】
このような卓球ボール８の降下の過程において、卓球ボール８には、常に紫外線殺菌灯６からの紫外線が照射され、殺菌が行われる。この傾斜板３では、上面に羽根板のようなトラップ部を設けることにより、紫外線殺菌灯６に対する卓球ボール８の自転軸の方向を変化させるとともに、卓球ボール８の降下速度を抑えることができる。
【００５２】
なお、傾斜板３は、右公転傾斜板３Ｒ（または、左公転傾斜板３Ｌ）のみを、複数積層させて構成してもよい。この場合には、卓球ボール８の公転方向は反転されないが、上段の傾斜板３Ｒ（３Ｌ）から次段の傾斜板３Ｒ（３Ｌ）に落下したときに、公転速度が抑えられ、降下速度が抑制される。
【００５３】
このような傾斜板３を備えた球体表面殺菌装置では、筐体１は、パイプ材（管部材）によって構成することができる。したがって、パイプ材（管部材）である筐体１の一端部から傾斜板３及び紫外線殺菌灯６を挿入して配置し、筐体１の両端部を投入箱２及び排出箱５によって閉じるという組立方法を採用することができる。
【００５４】
図４は、前記傾斜板の構成のさらに他の例を示す斜視図である。
この球体表面殺菌装置において、傾斜板３は、図４に示すように、一連の螺旋状に構成してもよい。この場合でも、傾斜板３は、筐体１の内壁に沿うことが好ましいので、筐体１を円筒状に構成する。
【００５５】
傾斜板３の各部分は、一定の傾斜を有している。傾斜板３は、一定の傾斜を有していることにより、上面に載置された卓球ボール８を重力によって転動させるが、このときの卓球ボール８の移動方向（公転方向）は、図４中矢印Ｒで示すように、上方から見て右回転（時計回り）（または、左回転（反時計回り））方向である。
【００５６】
投入箱２から落下した卓球ボール８は、傾斜板３の最も高い位置に落ちる。この卓球ボール８は、傾斜路上を転動し、紫外線殺菌灯６の回りを公転して、傾斜板３の最も低い位置に至り、排出箱５内に落下する。
【００５７】
このような卓球ボール８の降下の過程において、卓球ボール８には、常に紫外線殺菌灯６からの紫外線が照射され、殺菌が行われる。この傾斜板３では、上面に羽根板のようなトラップ部を設けることにより、紫外線殺菌灯６に対する卓球ボール８の自転軸の方向を変化させるとともに、卓球ボール８の降下速度を抑えることができる。
【００５８】
このような傾斜板３を備えた球体表面殺菌装置では、筐体１は、パイプ材（管部材）によって構成することができる。したがって、パイプ材（管部材）である筐体１の一端部から傾斜板３及び紫外線殺菌灯６を挿入して配置し、筐体１の両端部を投入箱２及び排出箱５によって閉じるという組立方法を採用することができる。
【００５９】
上述したように、本考案に係る球体表面殺菌装置では、球体がランダムに回転されるので、紫外線殺菌灯により球体の表面全体を殺菌することができる。また、トラップ部により球体の降下速度が遅くなり、紫外線殺菌灯の周囲を公転することにより、紫外線の照射量が増加し、十分な殺菌ができる。
【００６０】
また、紫外線殺菌灯及び傾斜板を筐体に収容し、この筐体の内壁に、紫外線殺菌灯からの紫外線を反射させる反射板を配置すれば、紫外線の乱反射により殺菌効果を高めることができる。また、紫外線は人体に有害であるが、安全に遮蔽できる筐体の中で全ての工程を行うことができる。
【００６１】
さらに、この球体表面殺菌装置は、例えば３kg程度と軽量で、持ち運び、移動が容易であり、安価に制作、利用ができ、また、電源があれば場所を選ばずに使用できる。したがって、この球体表面殺菌装置は、卓球愛好者等が購入し易く、使用し易いので、卓球競技における安全、安心を実現できる。
【符号の説明】
【００６２】
１  筐体
２  投入箱
３  傾斜板
３ａ  羽根板
３ｂ  トラップ部
３ｃ  シート
３ｄ  突起
３Ｒ  右公転傾斜板
３Ｌ  左公転傾斜板
４  反射板
５  排出箱
６  紫外線殺菌灯
７  別容器
８  卓球ボール
【図１】
0003228712.tif 000003
【図２】
0003228712.tif 000004
【図３】
0003228712.tif 000005
【図４】
0003228712.tif 000006